(57)【要約】【課題】  利用者が感覚的にズーム操作をすることができる撮像装置に関する。【解決手段】  電源スイッチと、撮影レンズを望遠端と広角端の間で駆動する操作を割り当てることができる複数のズームスイッチと、このズームスイッチの操作に応じて上記撮影レンズの駆動方向を制御する制御手段とを有する撮像装置であって、上記制御手段が、当該撮像装置の動作開始後に上記撮影レンズを広角端に移動し、その後最初に操作された上記複数のズームスイッチのうち一つのズームスイッチに対して上記撮影レンズを望遠端側に駆動する操作を割り当てる撮像装置による。【選択図】図５
2009223049.tif 000002
【特許請求の範囲】
【請求項１】
電源スイッチと、撮影レンズを望遠端と広角端の間で駆動する操作を割り当てることができる複数のズームスイッチと、このズームスイッチの操作に応じて上記撮影レンズの駆動方向を制御する制御手段とを有する撮像装置であって、
上記制御手段が、当該撮像装置の動作開始後に上記撮影レンズを広角端に移動し、その後最初に操作された上記複数のズームスイッチのうち一つのズームスイッチに対して上記撮影レンズを望遠端側に駆動する操作を割り当てる撮像装置。
【請求項２】
上記制御手段が、上記ズームスイッチのうち、上記望遠端側への駆動操作を割り当てたズームスイッチ以外のズームスイッチに上記撮影レンズを広角端側に駆動する操作を割り当てる請求項１記載の撮像装置。
【請求項３】
上記制御手段が、当該撮像装置の動作開始後、すでに割り当てられている上記ズームスイッチの操作を消去する請求項１または２に記載の撮像装置。
【請求項４】
上記ズームスイッチは、上下左右方向に操作可能な４つのスイッチを有し、それぞれのスイッチに異なる操作を割り当てることができ、かつ同時に２以上のスイッチ操作をすることができない構造を有する選択スイッチであって、
上記制御手段が、この選択スイッチを２つのズームスイッチとしてそれぞれに撮影レンズを駆動する操作を割り当てる請求項１記載の撮像装置。
【請求項５】
上記制御手段が、上記選択スイッチのうち当該撮像装置の動作開始後最初に操作されたスイッチに上記撮影レンズを望遠端側に駆動する操作を割り当て、最初に操作されたスイッチ以外の他のスイッチに上記撮影レンズを広角端側に駆動する操作を割り当てる請求項４記載の撮像装置。
【請求項６】
上記制御手段が、上記選択スイッチのうち当該撮像装置の動作開始後最初に操作された１のスイッチに上記撮影レンズを望遠端側に駆動する操作を割り当て、この割り当てられたスイッチに対向する他のスイッチに上記撮影レンズを広角端側に駆動する操作を割り当てる請求項４記載の撮像装置。
【請求項７】
上記制御手段が、撮影レンズを駆動する操作を割り当てていない他のスイッチに対して、撮影レンズを駆動する操作以外の当該撮像装置に係る操作を割り当てる請求項４乃至６のいずかに記載の撮像装置。
【請求項８】
上記撮影レンズを駆動する操作以外の当該撮像装置に係る操作は、ストロボ設定、マクロ設定、画像確認設定の中から任意に選択可能である請求項７に記載の撮像装置。
【発明の詳細な説明】
【技術分野】
【０００１】
本発明は、撮像装置に関するものであって、特に、利用者が感覚的にズーム操作をすることができる撮像装置に関するものである。
【背景技術】
【０００２】
撮影レンズにズーム機能を備えたデジタルカメラなどの撮像装置は、この撮影レンズを駆動して所望する被写体のズーム画像を得るため、利用者は筐体の一面に設けられたスイッチを操作する（以下、撮影レンズを所定の方向に駆動する動作を指示する操作を「ズーム操作」とする）。このズーム操作に用いるスイッチ（このスイッチを以下「ズームスイッチ」とする）は、上記撮影レンズを望遠端側（以下「Ｔｅｌｅ側」とする）に駆動させる指示をするスイッチと、広角端側（以下「Ｗｉｄｅ側」とする）に駆動させる指示をするスイッチとを個別に設けている。これらズームスイッチの形態には大きく２つの種類が知られている。
【０００３】
一つはカメラ筐体の背面側に、近接して配置する２個１対のスイッチであって、１のスイッチにはＴｅｌｅ側へのズーム操作が割り当てられており、他のスイッチにはＷｉｄｅ側へのズーム操作が割り当てられる。他の形態には、1つの回転スイッチによってズームスイッチを構成するものがある。この回転スイッチ型のズームスイッチは、カメラ筐体上面に配置した回転スイッチの、１の回転方向にＴｅｌｅ側へのズーム操作が割り当てられており、他の回転方向にＷｉｄｅ側へのズーム操作が割り当てられている。上記いずれのズームスイッチであっても、事前に１のスイッチ（１の回転方向）に「Ｔｅｌｅ側駆動のズーム操作」または「Ｗｉｄｅ側駆動のズーム操作」を割り当てて、他のスイッチ（他の回転方向）は、前記と反対側方向へのズーム操作を割り当てる必要があり、利用者がこの割り当てを変更することはできない。
【０００４】
一般に従来のカメラは、各ズームスイッチにおけるズーム操作を利用者にとって認識しやすくするため、当該ズームスイッチ近傍か、または、当該ズームスイッチに文字やアイコンを用いて「Ｔｅｌｅ側」、「Ｗｉｄｅ側」などの区別がつきやすい表示が付されている。このような表示はズーム操作を利用者が習熟するまで、誤操作をすることなく使用する助けとなる。従って、撮影中に上記ズームスイッチの操作を誤ることがないようにするには、スイッチの表示を視認しながら利用することが確実な方法である。しかし、被写体を撮影しているとき、利用者はファインダーかＬＣＤ（液晶ディスプレイ）を凝視していることが多く、このような状態ではズームスイッチの表示も視認することはできない。
【０００５】
上記の課題を解決するために、カメラ筐体の前面と背面にそれぞれ異なるズーム操作を割り当てたズームスイッチを配置し、ファインダーなどから目を離すことなく利用者が適切なズーム操作を行うことができるカメラが知られている（例えば、特許文献１を参照）。また、被写体との距離に応じて自動的にズームレンズを駆動することができるカメラにおいて、マニュアルズームとオートズームが競合しないように、マニュアルズームを優先し、電源スイッチなどの起動スイッチが操作されるまで、オートズーム処理を停止することで、利用者が操作しやすいズームスイッチを備えるカメラが知られている（例えば、特許文献２を参照）。
【特許文献１】特開２００２&#8722;０７２３２５号公報
【特許文献２】特許第３０８２００４号公報
【発明の開示】
【発明が解決しようとする課題】
【０００６】
上記特許文献１記載のカメラは、異なるズーム操作を割り当てたズームスイッチをカメラ筐体の前後に別々に配置しているので、それぞれのズームスイッチの位置とそれに対応する撮影レンズの駆動方向を覚えてしまえば、誤操作をある程度防止することができる。しかし、瞬時に的確な操作を行なうには習熟を要し、例え、操作に習熟したとしても、意図した方向と異なる方向にズーム操作するズームスイッチを押してしまうことがあり、操作のやり直しが必要となる。また、特許文献２記載のカメラは、割り当てられたズームスイッチの操作を一定条件で禁止することができ、利用者にとっては便利である。しかし、あらかじめズームスイッチに割り当てされている動作を習熟する必要がある。
【０００７】
このように各ズームスイッチに割り当てられているズーム操作を習熟するまで、瞬時に的確なズーム操作をすることができないことは不便である。ズームスイッチの操作を確実に覚えるまでは、各ズームスイッチの表示を視認しなければならず、その間、ファインダーやＬＣＤから目を離すことになるので絶好のシャッターチャンスを逃すことがある。また、誤って意図した方向と異なる方向のズームスイッチを押下してしまうと、操作のやり直しが必要であり、シャッターチャンスを逃すだけでなく、操作終了まで時間を要し無駄な電力消費の原因となる。
【０００８】
本発明は上記課題を鑑みてなされたものであって、利用者がズームスイッチの表示などを視認することなく感覚的にズーム操作をすることができる撮像装置に関するものである。
【課題を解決するための手段】
【０００９】
本発明は、電源スイッチと、撮影レンズを望遠端と広角端の間で駆動する操作を割り当てることができる複数のズームスイッチと、このズームスイッチの操作に応じて上記撮影レンズの駆動方向を制御する制御手段とを有する撮像装置であって、上記制御手段が、当該撮像装置の動作開始後に上記撮影レンズを広角端に移動し、その後最初に操作された上記複数のズームスイッチのうち一つのズームスイッチに対して上記撮影レンズを望遠端側に駆動する操作を割り当てることを最も主要な特徴とする。
【００１０】
また本発明は、上記ズームスイッチが、上下左右方向に操作可能な４つのスイッチを有し、それぞれのスイッチに異なる操作を割り当てることができ、かつ同時に２以上のスイッチ操作をすることができない構造を有する選択スイッチであって、上記制御手段が、この選択スイッチを２つのズームスイッチとしてそれぞれに操作を割り当てることを特徴とする。
【発明の効果】
【００１１】
本発明によれば、撮像装置が有する任意のスイッチに、利用者が自らズーム操作を割り当てることができるので、操作性がよく瞬時に的確な操作をすることができる撮像装置を得ることができる。
【発明を実施するための最良の形態】
【００１２】
以下、本発明に係る撮像装置の実施形態について図を用いて説明する。図１は本発明に係る撮像装置の背面図である。図１において、撮像装置１のカメラボディＣＢ上面部にはレリーズボタン（スイッチ）ＳＷ１、モードダイアルＳＷ２が配置されている。カメラボディＣＢの背面部には、光学ファインダ４、ＡＦ用ＬＥＤ（「ＬＥＤ」は、発光ダイオード）８、ストロボＬＥＤ９、ＬＣＤモニタ１０、ズームスイッチＳＷ３、ズームスイッチＳＷ４、セルフタイマの設定および解除スイッチＳＷ５、メニュースイッチＳＷ６、上移動およびストロボセットスイッチＳＷ７、右移動スイッチＳＷ８、ディスプレイスイッチＳＷ９、下移動およびマクロスイッチＳＷ１０、左移動および画像確認スイッチＳＷ１１、ＯＫスイッチＳＷ１２、ならびに電源ＳＷ１３が配置されている。
【００１３】
次に、本発明に係る撮像装置の機能ブロックについて図２を用いて説明する。以下における各種動作（処理）は、ディジタル信号処理ＩＣ（集積回路）等として構成されるディジタルスティルカメラプロセッサ１０４（以下、単に「プロセッサ１０４」と称する）によって制御される。プロセッサ１０４は、第１のＣＣＤ（電荷結合素子）信号処理ブロック１０４−１，第２のＣＣＤ信号処理ブロック１０４−２，ＣＰＵ（中央処理ユニット）ブロック１０４−３，ローカルＳＲＡＭ（ＳＲＡＭ：スタティックランダムアクセスメモリ）１０４−４，ＵＳＢ（ユニバーサルシリアルバス）ブロック１０４−５，シリアルブロック１０４−６，ＪＰＥＧコーデック（ＣＯＤＥＣ）ブロック１０４−７，リサイズ（ＲＥＳＩＺＥ）ブロック１０４−８，ＴＶ信号表示ブロック１０４−９およびメモリカードコントローラブロック１０４−１０を有してなり、これら各ブロックは相互にバスラインで接続されている。
【００１４】
プロセッサ１０４の外部には、ＲＡＷ−ＲＧＢ画像データ、ＹＵＶ画像データおよびＪＰＥＧ画像データを保存するためのＳＤＲＡＭ（シンクロナスランダムアクセスメモリ）１０３、ＲＡＭ１０７、内蔵メモリ１２０および制御プログラムが格納されたＲＯＭ１０８が配置されており、バスラインを介してプロセッサ１０４に接続されている。
【００１５】
鏡胴ユニット７は、ズームレンズ７−１ａを有するズーム光学系７−１，フォーカスレンズ７−２ａを有するフォーカス光学系７−２，絞り７−３ａを有する絞りユニット７−３およびメカニカルシャッタ７−４ａを有するメカシャッタユニット７−４，を備えている。ズーム光学系７−１，フォーカス光学系７−２，絞りユニット７−３およびメカシャッタユニット７−４はそれぞれＺＯＯＭモータ７−１ｂ、フォーカスレンズ移動手段としてのＦＯＣＵＳモータ７−２ｂ、絞りモータ７−３ｂおよびメカシャッタモータ７−４ｂによって駆動される。これらＺＯＯＭモータ７−１ｂ、ＦＯＣＵＳモータ７−２ｂ、絞りモータ７−３ｂおよびメカシャッタモータ７−４ｂの各モータは、プロセッサ１０４のＣＰＵブロック１０４−３によって制御されるモータドライバ７−５によって動作が制御される。
【００１６】
鏡胴ユニット７のズームレンズ７−１ａおよびフォーカスレンズ７−２ａは、撮像素子であるＣＣＤ１０１の撮像面上に被写体光学像を結像するための撮像レンズを構成し、ＣＣＤ１０１は、前記被写体光学像を電気的な画像信号に変換してＦ／Ｅ−ＩＣ（フロントエンドＩＣ）１０２に入力する。Ｆ／Ｅ−ＩＣ１０２は、ＣＤＳ（相関２重サンプリング部）１０２−１、ＡＧＣ（自動利得制御部）１０２−２およびＡ／Ｄ（アナログ−ディジタル）変換部１０２−３を有し、前記画像信号にそれぞれ所定の処理を施して、ディジタル信号に変換し、プロセッサ１０４の第１のＣＣＤ信号処理ブロック１０４−１に入力する。これらの信号処理動作は、プロセッサ１０４の第１のＣＣＤ信号処理ブロック１０４−１から出力されるＶＤ・ＨＤ（垂直駆動・水平駆動）信号により、ＴＧ（タイミングジェネレータ）１０２−４を介して制御される。第１のＣＣＤ信号処理ブロック１０４−１は、ＣＣＤ固体撮像素子１０１からＦ／Ｅ−ＩＣ１０２を経由して入力されたディジタル画像データに対してホワイトバランス調整およびγ調整等の信号処理を行うとともに、ＶＤ信号およびＨＤ信号を出力する。
【００１７】
ＵＳＢブロック１０４−５は、ＵＳＢコネクタ１２２に結合されており、シリアルブロック１０４−６は、シリアルドライバ回路１２３−１を介してＲＳ−２３２Ｃコネクタに結合されている。ビデオ信号表示ブロック１０４−９は、ＬＣＤドライバ１１７を介してＬＣＤモニタ１０に結合されており、また、ＴＶ信号表示ブロック１０４−９は、ビデオアンプ１１８を介してビデオジャック１１９にも結合されている。メモリカードコントローラブロック１０４−１０は、メモリカードスロット１２１のカード接点に結合されており、メモリカードがこのメモリカードスロット１２１に装填されると、メモリカードの接点に接触して電気的に接続する。
【００１８】
プロセッサ１０４のＣＰＵブロック１０４−３は、音声記録回路１１５−１による音声記録動作を制御する。音声記録回路１１５−１は、マイクロホン１１５−３で変換されマイクロホンアンプ１１５−２によって増幅した音声信号を、ＣＰＵブロック１０４−３の指令に応じて記録する。また、ＣＰＵブロック１０４−３は、音声再生回路１１６−１の動作も制御する。音声再生回路１１６−１は、ＣＰＵブロック１０４−３の指令により、適宜なるメモリに記録されている音声信号をオーディオアンプ１１６−２で増幅してスピーカー１１６−３に入力し、スピーカー１１６−３から音声を再生する。また、ＣＰＵブロック１０４−３は、ストロボ回路１１４を制御して動作させることによってストロボ発光部３から照明光を発光させる。また、ＣＰＵブロック１０４−３は、被写体距離を測定する測距ユニット（図示せず）の動作も制御する。
【００１９】
さらに、ＣＰＵブロック１０４−３は、プロセッサ１０４の外部に配置されたサブＣＰＵ１０９にも結合されており、サブＣＰＵ１０９は、ＬＣＤドライバ１１１を介してサブＬＣＤ１による表示を制御する。また、サブＣＰＵ１０９は、ＡＦ用ＬＥＤ８，ストロボＬＥＤ９，リモコン受光部６，上記スイッチＳＷ１〜ＳＷ１３からなる操作ｋｅｙユニット（ＳＷ１〜ＳＷ３）およびブザー１１３にもそれぞれ結合されている。
【００２０】
図１に示した種々のスイッチはこの操作Ｋｅｙユニットに含まれており、所定の操作（押下するなど）を行なうと、各スイッチに割り当られている操作指示をＳＵＢ−ＣＰＵ１０９を介した上記ＣＰＵブロック１０４−３が当該撮像装置の所定の動作指示に変換し、上記各部（ブロック）に対する所定の処理を行なう。例えば操作ＳＷ３にＴｅｌｅ側へのズーム操作が割り当てられている場合、このＳＷ３を押下するとＣＰＵ１０４−３からモータドライバ７０５に所定の駆動指示が通知され、ＦＯＣＵＳモータ７−２ｂが所定の方向に駆動され、これによってＦＯＣＵＳ光学系７−２が移動して被写体像に対するフォーカシング処理を行なうことができる。
【００２１】
次に、上記撮像装置１の基本動作について図３のフローチャートを用いて説明する。図３において、各処理のステップをＳ３０，Ｓ３１、・・・として表記する。上記電源ＳＷ１３に所定の操作を行なって電源を入れると（Ｓ３０）、先ず、モードダイアルＳＷ２の状態を判定する（Ｓ３１）。当該撮像装置１は２つの動作モードを有しており上記ＳＷ２の操作によって動作モードを切り換えることができるものとする。ＳＷ２が撮影モードを選択しているとき、撮影レンズによって撮像されている被写体像をＬＣＤモニタ１０に表示をするモニタリング処理を行なう（Ｓ３２）。ここで、ＳＷ２が操作されてモード変更処理がされなければ（Ｓ３３のＮ）、撮影モードにて動作を継続する（Ｓ３６）。ＳＷ２が操作されモード変更処理がされたとき（Ｓ３３のＹ）、または、動作モード判定時（Ｓ３１）にＳＷ２が再生モードを示しているときは（Ｓ３１）、内蔵メモリ（１２０）または、メモリカードスロットル（１２１）に装着されているメモリカードに記録された撮影済みの画像データをＬＣＤモニタ１０に表示する再生表示処理を行なう（Ｓ３２）。この再生表示処理を行なっている間に、ＳＷ２が操作されてモード変更処理が行なわれなければ（Ｓ３５のＮ）、再生モードの動作を継続し、ＳＷ２が操作されてモード変更処理がされれば撮影モードに動作を切り換える（Ｓ３５のＹ、Ｓ３６）。
【００２２】
次に、上記撮像装置１に適用可能な種々のズームスイッチの形態について図４を用いて説明する。上記撮像装置１は、ズームスイッチＳＷ３及びズームスイッチＳＷ４を既に備えているが、本発明に係る撮像装置に適用可能なズームスイッチは図１の形態に限ることなく、図４（ｂ）のように上下方向に分割された２つのスイッチ、または、図４（ｃ）に示すような回転スイッチであってもよい。以下の実施例１においては、図４（ａ）に示すように左方向（上方向）に向くスイッチは「ズームスイッチ１」とし、右方向（下方向）に向くスイッチは「ズームスイッチ２」と表記する。
【実施例１】
【００２３】
次に発明に係る撮像装置において行なうズーム操作割り当て処理の流れについて図５のフローチャートを用いて説明する。図５において、各処理ステップをＳ５０、Ｓ５１・・・のように表記する。まず、電源スイッチ１３を所定の方向に操作して、当該撮像装置の電源を投入し動作を開始する（Ｓ５０）。動作を開始した後にスイッチ１及びスイッチ２に割り当てられている操作を消去する（Ｓ５１）。次に、撮影レンズをＷｉｄｅ側端部まで移動する（Ｓ５２）。撮影レンズの移動が終了した後、最初に押されたズームスイッチがどのズームスイッチであるかを判定する（Ｓ５３）。ズームスイッチ１が最初に押下されたときは（Ｓ５３の１を押下）、ズームスイッチ１にＴｅｌｅ側方向へのズーム操作を割り当てて（Ｓ５４）、ズームスイッチ２にＷｉｄｅ側方向へのズーム操作を割り当てる（Ｓ５５）。
【００２４】
ズームスイッチ２が最初に押下されたときは（Ｓ５３の２を押下）、ズームスイッチ２にＴｅｌｅ側方向へのズーム操作を割り当てて（Ｓ５６）、ズームスイッチ１にＷｉｄｅ側方向へのズーム操作を割り当てる（Ｓ５７）。
【００２５】
上記のように本願に係る撮像装置は、電源投入後、まず、各ズームスイッチに事前に割り当てられているズーム操作を消去（リセット）して、撮影レンズをＷｉｄｅ側端部に移動させるので、最初にズームスイッチ１またはズームスイッチ２のいずれが押下されても、利用者はＴｅｌｅ方向への駆動操作をする意図であると解することができる。従って、最初に押されたズームスイッチにＴｅｌｅ方向へのズーム操作を割り当て、他のズームスイッチにＷｉｄｅ方向へのズーム操作を割り当てることで、利用者は瞬間的にどちらのスイッチを押すべきか判断に迷うことなく、自らの感覚に合った使い勝手のよいズーム操作をおこなうことができるようになる。
【実施例２】
【００２６】
次に、本発明に係る撮像装置に係るズーム操作割り当て処理の別の実施形態について図６、図７を用いて説明する。図６は、本発明に係る撮像装置に用いることができる、ズームスイッチの別の実施形態である。図６（ａ）に示すように、ズームスイッチに適用可能な選択スイッチ２０１は、その外形が十字形状であって、上下左右方向に凸部を有している。図面に向かって上側凸部から時計回りにＳＷ７，ＳＷ８，ＳＷ１０，ＳＷ１１に該当するものとする。以下の説明において、各凸部を時計回りに「上部」，「右部」，「下部」，「左部」とする。図６（ａ）のＡ−Ａ‘部の断面図を図６（ｂ）に示す。図６（ｂ）において、選択スイッチ２０１は、押し上げコイル２０６により配線基板２０４から遠ざかる方向に付勢され、その外縁のツバ部が外装部２０７に接触することで、位置が規制されている。
【００２７】
選択スイッチ２０１の１つの凸部が押下されると、その凸部に位置する接点部２０２が対向するスイッチ２０３を押す。押下される凸部に対応して、１つのスイッチ接点部２０２のみがスイッチ２０３を押し、同時に複数のスイッチ２０３を押すことがないように、選択スイッチ２０１の中央部には、押し込み規制部材２０５が当接している。なお、選択スイッチ２０１のいずれの凸部も押下されていないときは、選択スイッチ２０１と押し込み規制部材２０５は、当接している必要はなく、空間があっても良い。図６（ｂ）におけるスイッチ２０３−１は左部に、スイッチ２０３−２は右部にそれぞれ該当する。
【００２８】
上記選択スイッチ２０１にズーム操作を割り当てる処理の流れについて図７のフローチャートを用いて説明する。図７において、各処理ステップをＳ７０、Ｓ７１・・・のように表記する。まず、電源スイッチ１３を所定の方向に操作して、当該撮像装置の電源を投入し動作を開始する（Ｓ７０）。動作を開始した後、選択スイッチ２０１に割り当てられている操作は全て消去され（Ｓ７１）、撮影レンズをＷｉｄｅ側端部まで移動する（Ｓ７２）。撮影レンズの移動が終了した後、選択スイッチ２０１のいずれかの凸部が押下されたかを判定する（Ｓ７３）。最初に押された凸部が「上部」または「下部」であれば、そのどちらが押下されたのか判定し（Ｓ７４）、上部が最初に押下されたときはＴｅｌｅ方向のズーム操作を上部に割り当てて（Ｓ７５）、下部にはＷｉｄｅ方向のズーム操作を割り当てる（Ｓ７６）。下部が最初に押下されたときは、Ｔｅｌｅ方向のズーム操作を下部に割り当て（Ｓ７７）、上部にはＷｉｄｅ方向のズーム操作を割り当てる（Ｓ７８）。
【００２９】
左部と右部には、ストロボ操作、マクロ操作、画像確認操作などのズーム操作以外の操作を割り当てる（Ｓ７９）。
【００３０】
最初に押された凸部が「左部」または「右部」であれば（Ｓ７３）、そのどちらが押下されたのか判定し（Ｓ８０）、左部が最初に押下されたときはＴｅｌｅ方向のズーム操作を左部に割り当て（Ｓ８１）、右部にはＷｉｄｅ方向のズーム操作を割り当てる（Ｓ８２）。右部が最初に押下されたときは、Ｔｅｌｅ方向のズーム操作を右部に割り当て（Ｓ８３）、左部にはＷｉｄｅ方向のズーム操作を割り当てる（Ｓ８４）。
【００３１】
上部と下部には、ストロボ操作、マクロ操作、画像確認操作などのズーム操作以外の操作を割り当てる（Ｓ８５）。
【００３２】
上記実施例２によれば、利用者が最初に押した選択スイッチ２０１の凸部にＴｅｌｅ方向のズーム操作を割り当て、これと対向する位置にある凸部にＷｉｄｅ方向へのズーム操作を割り当てることができる。また、ズーム操作が割り当てられなかった残りの凸部には、他の操作を割り当てることができ、利用者の好みに合った使いやすい選択スイッチ２０１への操作割り当てを行なうことができる。また、上記選択スイッチ２０１はＳＷ７，ＳＷ８，ＳＷ１０，ＳＷ１１（いずれも図１に記載）の代わりに用いることができ、それによってＳＷ３，ＳＷ４（ともに図１に記載）を省くことができる。
【実施例３】
【００３３】
次に、上記選択スイッチ２０１を用いた別の実施形態について図８のフローチャートを用いて説明する。図８において、各処理ステップをＳ９１、Ｓ９２・・・のように表記する。まず、電源スイッチ１３を所定の方向に操作して、当該撮像装置の電源を投入し動作を開始する（Ｓ９０）。動作を開始した後、選択スイッチ２０１に割り当てられている操作は全て消去され（Ｓ９１）、撮影レンズをＷｉｄｅ側端部まで移動する（Ｓ９２）。撮影レンズの移動が終了したあと、選択スイッチ２０１のいずれかの凸部が押下されたかを判定し、いずれかの凸部が押下されていれば（Ｓ９３のＹ）、どの凸部が押下されたかを判定し、その凸部（第１押下部とする）にＴｅｌｅ方向のズーム操作を割り当てる（Ｓ９４）。
【００３４】
上記ステップＳ９４の後、次に選択スイッチ２０１のいずれかの凸部が押下されたかを判定し、押下されるまで処理を待つ（Ｓ９５のＮ）。いずれかの凸部が押下されれば（Ｓ９５のＹ）、どの凸部が押下されたかを判定し、その凸部（第２押下部とする）が第１押下部と同一であるかを判定する（Ｓ９６）。弟２押下部が第１押下部と同一の凸部であれば、別の凸部が押下されるまで処理を待ち（Ｓ９６のＹ）、第２押下部と第１押下部が異なる凸部であれば（Ｓ９６のＮ）、第２押下部にＷｉｄｅ方向のズーム操作を割り当てて（Ｓ９７）、ズーム操作が割り当てられていない他の凸部に、ストロボ操作、マクロ操作、画像確認操作などのズーム操作以外の操作を割り当てる（Ｓ９８）。
【００３５】
上記実施例３によれば、利用者が選択スイッチ２０１の任意の凸部にズーム操作を割り当てることができ、ズーム操作を割り当てなかった凸部については、自動的に他の操作を割り当てることができるので、利用者の好みに合った使いやすい操作割り当てを任意に行なうことができる。また、実施例２と同様に、上記選択スイッチ２０１をＳＷ７，ＳＷ８，ＳＷ１０，ＳＷ１１の代わりに用いることができ、それによって、ＳＷ３，ＳＷ４を省くことができる。
【産業上の利用可能性】
【００３６】
本発明は、カメラ付携帯機器に搭載可能な撮像装置においても適用できる。
【図面の簡単な説明】
【００３７】
【図１】本発明に係る撮像装置の外観構成の例を示す図である。
【図２】上記撮像装置の例を示す機能ブロック図である。
【図３】上記撮像装置における基本的な動作の流れを示すフローチャートである。
【図４】上記撮像装置に用いることができるズームスイッチの各種例を示す正面図である。
【図５】上記撮像装置を用いて行なうズームスイッチへのズーム操作割り当て変更処理の流れを示すフローチャートである。
【図６】上記撮像装置を用いることができるズームスイッチの別の例を示す（ａ）は正面図、（ｂ）は断面図である。
【図７】上記撮像装置を用いて行なうズームスイッチへのズーム操作割り当て変更処理の別の例を示すフローチャートである。
【図８】上記撮像装置を用いて行なうズームスイッチへのズーム操作割り当て変更処理の別の例を示すフローチャートである。
【符号の説明】
【００３８】
１  撮像装置
２０１  選択スイッチ
２０２  スイッチ接点部
２０３  スイッチ
２０４  配線基盤
２０５  押し込み規制部材
２０６  押し上げコイル
２０７  外装部
【図１】
2009223049.tif 000003
【図２】
2009223049.tif 000004
【図３】
2009223049.tif 000005
【図４】
2009223049.tif 000006
【図５】
2009223049.tif 000007
【図６】
2009223049.tif 000008
【図７】
2009223049.tif 000009
【図８】
2009223049.tif 000010